(57)【要約】【課題】支柱とベース部との連結部において十分な強度及び剛性を確保することができるとともに、ベース部にも鞄若しくは資料又は機器等を置くことができる机を提供する。【解決手段】ベース部２の上面を形成するベース板２１を、支柱３の下端部が挿入される開口が設けられた後水平板２２、後水平板２２よりも前方低くに位置する前水平板２３、及び、これら水平板２２，２３間を繋ぐ、後方に行くにしたがって高くなる傾斜板２４により形成し、支柱３との連結部及び上方を開放した略コ字状の補強部を有する中補強部材２５を、前記後水平板２２、傾斜板２４及び前水平板２３の下面に添設した。【選択図】図２
2008086438.tif 000002
【特許請求の範囲】
【請求項１】
ベース部に支柱を立設し、該支柱により載置板を支持してなる机であって、
前記ベース部の上面を形成するベース板を、後水平板、該後水平板よりも前方低くに位置する前水平板、及び、これら水平板間を繋ぐ、後方に行くにしたがって高くなる傾斜板により形成してなることを特徴とする机。
【請求項２】
前記後水平板に前記支柱の下端部が挿入される開口又は切欠を設け、前記支柱との連結部及び上方を開放した略コ字状の補強部を有する中補強部材を、前記後水平板、傾斜板及び前水平板の下面に添設してなる請求項１記載の机。
【請求項３】
前記中補強部材を、正面視において上方を開放した略コ字状の前後方向に延びる縦補強部材、並びに、前記縦補強部材の前後において左右方向に延び、前記縦補強部材に固定される前補強部材及び後補強部材により構成してなる請求項２記載の机。
【請求項４】
前記ベース板の前後端を下側に折り曲げた折曲部を形成し、これら前後の折曲部に当接する側補強部材を、前記後水平板、傾斜板及び前水平板の左右端の下面に添設してなる請求項１記載の机。
【請求項５】
前記後補強部材の左右に後キャスターを取り付けるとともに、前記前補強部材の左右に前記後キャスターよりも小形の前キャスターを取り付けてなる請求項３記載の机。
【発明の詳細な説明】
【技術分野】
【０００１】
本発明は、パソコン又はプロジェクター等の機器を載置可能な机に関するものである。
【背景技術】
【０００２】
パソコン又はプロジェクター等の機器が載置される載置板を備えた、パソコンデスク、演台又はプロジェクター台等の机として、前後端部にキャスターを備えた前後方向に延びる細長い略矩形板状の左右のベースと、これらベースの上面後部から鉛直に起立させた左右の支柱と、これら支柱間に横架させた補強パイプと、前記支柱及び支持ブラケットにより支持された上下複数の載置板（天板、棚板）とからなるもの（特許文献１参照）、前後端部にキャスターを備えた前後方向に延びる細長い左右の接地杆と、これら接地杆の上面後部から鉛直に起立させた左右の支柱と、これら支柱間に取り付けたブロックパネルと、前記支柱及びブラケットにより支持された上下複数の載置板とからなるもの（特許文献２参照）、後部左右にキャスターが取り付けられ前方に向けて上下厚を漸減させ、上面に傾斜面が形成されたベース板と、このベース板の後部の左右方向の中央から起立する支柱と、この支柱に支持された載置板（天板）からなるもの（特許文献３参照）等がある。
【０００３】
【特許文献１】特開２００３−８８４２８号公報（図１）
【特許文献２】特許第３６７４４４２号公報（図７）
【特許文献３】意匠登録第１１１０４２４号公報（参考斜視図）
【発明の開示】
【発明が解決しようとする課題】
【０００４】
特許文献１及び特許文献２の構成では、左右に離間した前後に細長いベース（接地杆）の上面後部に左右の支柱を連結しているため、載置板上の機器の重量により最も曲げモーメントが掛かる支柱とベースとの連結部の強度及び剛性を上げにくい構成となっている。したがって、重量物の載置時に前記連結部が変形して載置板上の機器が傾いて不安定となる場合やキャスターを使って移動する際に振動が発生する場合がある。また、演台やプロジェクター台等において、人がパソコンやプロジェクターを操作する際にも操作力の大きさや方向によっては、振動が発生して操作性が損なわれることもある。さらに、例えば演台等において、ベース部に講演者の鞄若しくは資料又は機器等を置くことができない。
【０００５】
また、特許文献３の構成では、ベース板を設けているが、該ベース板が比較的薄いものであるため十分な強度及び剛性を確保しにくいとともに、載置板上の機器の重量により最も曲げモーメントが掛かる支柱とベース板との連結部において、その強度及び剛性を上げるための構造については配慮がされていない。
【０００６】
そこで本発明が前述の状況に鑑み、解決しようとするところは、支柱とベースとの連結部において十分な強度及び剛性を確保することができるとともに、ベース部にも鞄若しくは資料又は機器等を置くことができる机を提供する点にある。
【課題を解決するための手段】
【０００７】
本発明に係る机は、前記課題解決のために、ベース部に支柱を立設し、該支柱により載置板を支持してなる机であって、前記ベース部の上面を形成するベース板を、後水平板、該後水平板よりも前方低くに位置する前水平板、及び、これら水平板間を繋ぐ、後方に行くにしたがって高くなる傾斜板により形成してなるものである。
【０００８】
ここで、前記後水平板に前記支柱の下端部が挿入される開口又は切欠を設け、前記支柱との連結部及び上方を開放した略コ字状の補強部を有する中補強部材を、前記後水平板、傾斜板及び前水平板の下面に添設してなると好ましい。
【０００９】
また、前記中補強部材を、正面視において上方を開放した略コ字状の前後方向に延びる縦補強部材、並びに、前記縦補強部材の前後において左右方向に延び、前記縦補強部材に固定される前補強部材及び後補強部材により構成してなると好ましい。
【００１０】
さらに、前記ベース板の前後端を下側に折り曲げた折曲部を形成し、これら前後の折曲部に当接する側補強部材を、前記後水平板、傾斜板及び前水平板の左右端の下面に添設してなると好ましい。
【００１１】
さらにまた、前記後補強部材の左右に後キャスターを取り付けるとともに、前記前補強部材の左右に前記後キャスターよりも小形の前キャスターを取り付けてなると好ましい。
【発明の効果】
【００１２】
本発明に係る机によれば、ベース部に支柱を立設し、該支柱により載置板を支持してなる机であって、前記ベース部の上面を形成するベース板を、後水平板、該後水平板よりも前方低くに位置する前水平板、及び、これら水平板間を繋ぐ、後方に行くにしたがって高くなる傾斜板により形成してなるので、このようなベース板の形状により、ベース板自体の特にねじり強度及びねじり剛性が高くなる。また、支柱が連結されるベース部の後部（後水平板）の高さが高くなっているため、ベース部後部の強度及び剛性を高める構造とすることが容易となるとともに、後部左右のキャスターとして許容荷重が大きい大径のキャスターを使用することができる。その上、前水平板上に鞄若しくは資料又は機器等を載置することができ、これら載置物の後方へのずれが傾斜板により規制される。その上さらに、ベース部の前部の高さが低くなっているため、ベース板の前端部と床面との間に靴のつま先等が入りにくい。そして、ベース板の前後の水平板間を傾斜板により繋いでいるため、段差を設けているベース板の上面形状が滑らかなものとなり、看者に与える外観の印象がすっきりとしたものになる。
【００１３】
また、前記後水平板に前記支柱の下端部が挿入される開口又は切欠を設け、前記支柱との連結部及び上方を開放した略コ字状の補強部を有する中補強部材を、前記後水平板、傾斜板及び前水平板の下面に添設してなると、上記効果に加え、上方を開放した略コ字状の補強部がその上側のベース板と一体化するため、ベース部の強度及び剛性が向上する。そして、このように強度及び剛性が高いベース部において、中補強部材に設けられた連結部に支柱が直結されるため、支柱とベース部との連結部の強度及び剛性が向上する。
【００１４】
さらに、前記中補強部材を、正面視において上方を開放した略コ字状の前後方向に延びる縦補強部材、並びに、前記縦補強部材の前後において左右方向に延び、前記縦補強部材に固定される前補強部材及び後補強部材により構成してなると、上記効果に加え、上方を開放した略コ字状の前後方向に延びる縦補強部材と、左右方向に延びる前補強部材及び後補強部材とが一体化して中補強部材が構成され、該中補強部材がその上側のベース板と一体化するため、ベース部の強度及び剛性がさらに向上し、支柱とベース部との連結部の強度及び剛性がさらに向上する。
【００１５】
さらにまた、前記ベース板の前後端を下側に折り曲げた折曲部を形成し、これら前後の折曲部に当接する側補強部材を、前記後水平板、傾斜板及び前水平板の左右端の下面に添設してなると、上記効果に加え、左右の側補強部材がベース板の変形を抑制するため、ベース部の強度及び剛性がさらに向上し、支柱とベース部との連結部の強度及び剛性がさらに向上する。その上、ベース部の前部の高さが低くなっているとともに、ベース板の前端に折曲部が形成されているため、ベース板の前端部と床面との間に靴のつま先等が入って挟まることがない。
【００１６】
また、前記後補強部材の左右に後キャスターを取り付けるとともに、前記前補強部材の左右に前記後キャスターよりも小形の前キャスターを取り付けてなると、上記効果に加え、強度及び剛性が高い前補強部材及び後補強部材により前後左右のキャスターが支持されるため、これらのキャスターにより机のより安定した移動が可能となる。その上、キャスターがベース板の左右方向外側に露出しないため、机の周囲の人の衣服、例えばズボンの裾等を汚す心配がない。
【発明を実施するための最良の形態】
【００１７】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、支柱により支持される載置板の支持端から遊端へ向かう方向を前方、その反対側を後方、前方に向かって左側を左方、前方に向かって右側を右方とし、前方から見た図を正面図とする。
【００１８】
図１〜図７は、本発明の実施の形態に係る机の例として示す演台の構成を示す説明図であり、図１は左斜め上から見た斜視図、図２は側面図、図３はベース部まわりの分解斜視図、図４は、ベース板に側補強部材を固定し、中補強部材を組み立てた状態を示す分解斜視図、図５は図２のＡ−Ａ断面図、図６は天板まわりの分解斜視図、図７は図２のＢ−Ｂ断面図である。
【００１９】
図１及び図２に示すように、机１は、ベース部２に支柱３が立設され、支柱３により載置板４，５を支持しており、ベース部２の前後左右にキャスター１１（前キャスター１１Ｆ，１１Ｆ及び後キャスター１１Ｂ，１１Ｂ）が取り付けられ、後キャスター１１Ｂ，１１Ｂのストッパーを解除すれば容易に移動させることができる。天板である載置板４には、例えばノートパソコン、ディスプレイ若しくは書画カメラ等の機器又は講演者の資料等を載置することができ、棚板である載置板５及びベース板２１の前水平板２３には、例えばデスクトップパソコンの本体、ＶＴＲ、ＤＶＤプレーヤー若しくはビデオプリンター等の機器又は講演者の鞄若しくは資料等を載置することができる。なお、図２には、天板である載置板４のみにノートパソコンＰＣを載置した状態を示している。
【００２０】
次に、支柱３及びベース部２の構造について説明する。図３及び図４に示すように、支柱３は、例えば鋼板の板金プレス加工により製作される中支柱３１に、例えばアルミニウム合金の押し出し成形により製作される左右の側支柱３２，３２を取り付けた構造であり、後述する中補強部材２５に取り付けられる下端部３Ａが形成される。ベース板２１は、支柱３の下端部３Ａが挿入される開口２２ａ（切欠であってもよい）が形成された後水平板２２、後水平板２２よりも前方低くに位置する前水平板２３、及び、これら水平板２２，２３間を繋ぐ、後方に行くにしたがって高くなる傾斜板２４により形成されるため、ベース部２の上面である前水平板２３上には前記のとおりの機器又は鞄等を載置することができ、傾斜板２４により載置物の後方へのずれが規制される。また、このような形状のベース部２を有する机１は、図１及び図２に示すように、ベース部２の前部の高さが低くなっているため、ベース板２１の前端部と床面との間に靴のつま先等が入りにくい。そして、ベース板２１の前後の水平板２３，２２間を傾斜板２４により繋いでいるため、段差を設けているベース板２１の上面形状が滑らかなものとなり、看者に与える外観の印象がすっきりとしたものになる。
【００２１】
このようなベース板２１の形状により、ベース板２１自体の特にねじり強度及びねじり剛性が高くなる。また、支柱３が連結されるベース部２の後部（後水平板２２）の高さが高くなっているため、ベース部２後部の強度及び剛性を高める構造とすることが容易となるとともに、後キャスター１１Ｂ，１１Ｂとして許容荷重が大きい大径のキャスターを使用することができる。なお、後水平板２２に開口２２ａを形成せずに、支柱３をベース板２１に直接又は別部品を介して取り付けることもできる。
【００２２】
本実施の形態においては、図３に示すように、中補強部材２５は、正面視において上方を開放した略コ字状の前後方向に延びる縦補強部材２６、並びに、縦補強部材２６の前後において左右方向に延び、縦補強部材２６に固定される前補強部材２８及び後補強部材２７により構成される。
【００２３】
縦補強部材２６は、略水平な前後方向に長い矩形の下板２６Ｄ及び下板２６Ｄの左右端から起立する左右の側板２６Ｓ，２６Ｓ、並びに、左右の側板２６Ｓ，２６Ｓの後端部から上方に延びる左右の後板２６Ｂ，２６Ｂからなる。そして、下板２６Ｄの後部にはその左右に係合穴２６ｃ，２６ｃが形成され、左右の側板２６Ｓ，２６Ｓの後部及び前部には、それぞれ上下方向のスリット２６ａ，２６ａ及び上下方向のスリット２６ｂ，２６ｂが形成される。
【００２４】
また、後補強部材２７は、略水平な左右方向に長い矩形の、開口２７ａが形成された上板２７Ｕ及び上板２７Ｕの前後端から垂下する前板２７Ｆ及び後板２７Ｂからなる。そして、前板２７Ｆには、その左右に上下方向のスリット２７ｂ，２７ｂが形成され、該スリット２７ｂ，２７ｂよりも内側に係合突片２７ｃ，２７ｃが突設される。
【００２５】
さらに、前補強部材２８は、略水平な左右方向に長い矩形の上板２８Ｕ及び上板２８Ｕの前後端から垂下する前板２８Ｆ及び後板２８Ｂからなる。そして、後板２８Ｂには、その左右に上下方向のスリット２８ａ，２８ａが形成される。
【００２６】
ここで、上記形状のベース板２１、縦補強部材２６、後補強部材２７及び前補強部材２８は、例えば鋼板の板金プレス加工により製作される。なお、ベース板２１の側面に、折り曲げや絞り加工で側面部を形成してもよく、このような側面部により、さらに強度及び剛性が高められる。
【００２７】
縦補強部材２６の後板２６Ｂ，２６Ｂを後補強部材２７の開口２７ａ内に下側から挿入し、スリット２６ａ，２６ａにスリット２７ｂ，２７ｂを係合させ、係合穴２６ｃ，２６ｃに係合突片２７ｃ，２７ｃを係合させると、縦補強部材２６に対して後補強部材２７が位置決めされた図４に示す状態となる。また、縦補強部材２６のスリット２６ｂ，２６ｂに前補強部材２８のスリットスリット２８ａ，２８ａを係合させると、縦補強部材２６に対して前補強部材２８が位置決めされた図４に示す状態となる。この状態で、縦補強部材２６と後補強部材２７及び前補強部材２８とを溶着すれば、これらが強固に連結されて一体化した中補強部材２５となる。
【００２８】
また、このように強固に連結され、強度及び剛性が高い中補強部材２５の前補強部材２８及び後補強部材２７の左右には、前キャスター１１Ｆ，１１Ｆ及び後キャスター１１Ｂ，１１Ｂが取り付けられる（キャスターを取り付けた外観は図１及び図２参照）。したがって、強度及び剛性が高い補強部材により前後左右のキャスター１１Ｆ，１１Ｆ及び後キャスター１１Ｂ，１１Ｂが支持されるため、これらのキャスターにより机１のより安定した移動が可能となる。その上、キャスター１１Ｆ，１１Ｆ及び後キャスター１１Ｂ，１１Ｂがベース板２１の左右方向外側に露出しないため、机の周囲の人の衣服、例えばズボンの裾等を汚す心配がない。
【００２９】
ここで、前キャスター１１Ｆ，１１Ｆは図４に示す前補強部材２８の係合穴２８ｂ，…（前板２８Ｆ及び後板２８Ｂに形成されている）を利用して容易に取り付けることができ、後キャスター１１Ｂ，１１Ｂは図４に示す後補強部材２７のねじ穴２７ｆ，…を利用して容易に取り付けることができる。後キャスター１１Ｂ，１１Ｂにはストッパーが設けられているとともに、後キャスター１１Ｂ，１１Ｂは首振り回転をしないものであるため、机１の静止状態が保持される。なお、後キャスター１１Ｂ，１１Ｂは、首振り回転をしないものであるため、後補強部材２７の左右にボス部を設け、該ボス部により左右方向の車軸を支持し、該車軸の左右端に車輪を取り付けるようにしてもよい。また、前キャスター１１Ｆ，１１Ｆは、後キャスター１１Ｂ，１１Ｂよりも小形のものであり、移動時に操作しやすくするために首振り回転可能なものを採用している。
【００３０】
上記構成の中補強部材２５において、縦補強部材２６の左右の側板２６Ｓ，２６Ｓの前部上面と前補強部材２８の上板２８Ｕの上面とは面一であるとともに、左右の側板２６Ｓ，２６Ｓの上面はベース板２１の後水平板２２、傾斜板２４及び前水平板２３の下面に添う形状とされ、さらに、後補強部材２７の水平上面も後水平板２２の下面に当接する。したがって、中補強部材２５の後板２６Ｂ，２６Ｂをベース板２１の開口２２ａに挿通し、ベース板２１の下面に前補強部材２８の上面、縦補強部材２６の左右の側板２６Ｓ，２６Ｓの上面、後補強部材２７の上面を当接させ、ベース板２１と中補強部材２５とを溶着すれば、これらが強固に連結されて一体化する。
【００３１】
以上のように、支柱３が連結されるベース部２の後部の高さが高くなっているとともに、上方を開放した略コ字状の補強部２５Ｂ（図３及び図４参照）がその上側のベース板２１に添設され一体化するため、ベース部２の強度及び剛性が向上する。その上、前記補強部２５Ｂを有する中補強部材２５が、上方を開放した略コ字状の前後方向に延びる縦補強部材２６と、左右方向に延びる前補強部材２８及び後補強部材２７とを一体化して構成され、上方を開放した略箱状の補強部材がベース部２に添設され一体化されるため、ベース部２の強度及び剛性をさらに向上することができる構造となっている。
【００３２】
また、図３に示すように、例えば鋼製の角パイプを曲げ成形してベース板２１の後水平板２２、傾斜板２４及び前水平板２３の左右端の下面に添う形状とされた側補強部材２９，３０を、図４に示すように、ベース板２１の左右端の下面に当接させるとともに、前後端をベース板２１の前後端を下側に折り曲げた折曲部２１Ｆ，２１Ｂに当接させ、ベース板２１と側補強部材２９，３０とを溶着すれば、これらが強固に連結され一体化する。そして、左右の側補強部材２９，３０がベース板２１の変形を抑制するため、ベース部２の強度及び剛性がさらに向上する。その上、ベース板の前端に折曲部２１Ｆが形成されているため、ベース板２１の前端部と床面との間に靴のつま先等が入って挟まることがない（図１及び図２参照）。なお、前記のようにベース板２１の側面に折り曲げや絞り加工で側面部を形成して強度及び剛性を高める構造とした場合には、前記側補強部材２９，３０を省略することも可能である。
【００３３】
次に、ベース部２と支柱３との連結構造について説明する。図４及び図５に示すように、前後方向の取付ねじ１２，…を支柱３の下端部３Ａの前面に形成した通し穴３１ａ，…を通して中補強部材２５のねじ穴２７ｄ，…に螺合し、図示しない左右方向の取付ねじを中補強部材２５の左右側面に形成した通し穴２６ｆ，…（図３参照）を通して下端部３Ａの左右側面に形成したねじ穴３１ｂ，…に螺合する。
【００３４】
また、図２及び図５に示すように、前後方向の取付ねじ１３，…を中支柱３１の通し穴３１ｃ，…、側支柱３２の通し穴３２ａ，…を通して中補強部材２５のねじ穴２６ｄ，…（図４参照）に螺合し、左右方向の取付ねじ１４，…を中支柱３１の通し穴３１ｄ，…、側支柱３２の通し穴３２ｂ，…を通して中補強部材２５のねじ穴２６ｅ，…（図４参照）に螺合する。さらに、図４及び図５に示すように、上下方向の取付ねじ１５，…を中補強部材２５の通し穴２７ｅ，…、ベース板２１の通し穴２２ｂ，…を通して側支柱３２のねじ穴３２ｃに螺合する。
【００３５】
以上のとおり、強度及び剛性の高い中補強部材２５に設けられた連結部２５Ａ（図３〜図５参照）と支柱３の下部とが、多方向からの取付ねじにより強固に締結され、直結される。したがって、支柱３とベース部２との連結部の強度及び剛性を大幅に向上することができる。
【００３６】
次に、例えば木製又は鋼製の天板である載置板４まわりの構造について説明する。図２、図６及び図７に示すように、支柱３の上部には例えば板金製の左右のブラケット６，６を介して載置板４が取り付けられ、載置板４の後側には例えば板金製の左右の幕板止金具９，９及び合成樹脂又は金属製の板にナットを固定してなる化粧板１０，１０を介して、例えば合成樹脂、金属、木材（表面にクロス貼りをしてもよい）、厚紙（コーティング及びラミネート加工をしてもよい）又はＭＤＦ等の繊維板製の幕板８が載置板４の後端縁から離間した状態で取り付けられる。
【００３７】
すなわち、前後方向の取付ねじ１６，…を側支柱３２の通し穴３２ｄ，…を通してブラケット６のねじ穴６ａ，…に螺合し、左右方向の取付ねじ１７，…を中支柱３１の通し穴３１ｆ、側支柱３２の通し穴３２ｅ，…を通してブラケット６のねじ穴６ｂ，…に螺合することにより、左右のブラケット６，６が支柱３に強固に取り付けられる。そして、上下方向の取付ねじ１８，…をブラケット６，６の通し穴６ｃを通して載置板４の下面のねじ穴４ａ，…に螺合することにより、載置板４は支柱３及びブラケット６，６により安定支持される。
【００３８】
また、上下方向の取付ねじ１９，…を幕板止金具９のダルマ状穴９ａ，…を通して載置板４の下面後部左右のねじ穴４ｂ，…に螺合することにより、左右の幕板止金具９，９は載置板４に固定される。そして、前後方向の取付ねじ２０，…を幕板止金具９の通し穴９ｂ、幕板８の通し穴８ａを通して化粧板１０のねじ穴１０ａ，…に螺合することにより、幕板８は載置板４に取り付けられる。なお、取付ねじ１９，…を外さなくても、これらを緩めて載置板４に対して幕板止金具９，９を後方へ移動させることにより、幕板止金具９，９のダルマ状孔９ａ，…を利用して、左右の幕板止金具９，９及び化粧板１０，１０により挟持された幕板８のセットを一体として取り外すことができる。また、ダルマ状孔９ａ，…を取付ねじ１９，…に外嵌して幕板止金具９，９を前方へ移動させた状態で取付ねじ１９，…を締めることにより、前記幕板止金具９，９、化粧板１０，１０及び幕板８のセットを、一体として載置板４に取り付けることができる。
【００３９】
次に、例えば木製又は鋼製の棚板である載置板５の取付について説明する。図２に示すように、載置板５は例えば板金製の左右のブラケット７，７に固定され、これらブラケット７，７の後端に設けられた図示しない係止片を支柱３に形成した係止穴に係合させることにより、載置板５は支柱３に支持され、その高さ位置の変更も容易である。
【００４０】
次に、載置板４，５上に載置した機器への配線方法について説明する。支柱３は後側を開放しており、上下に配線を通すための空間が設けられている。そして、配線処理後に配線を隠すための例えば板金製の配線カバー３３が、係止片３３ａ，…（図４及び図６参照）により支柱３に係止され、該配線カバー３３の着脱は容易である。
【００４１】
したがって、配線カバー３３を外した状態で外部からの電源ケーブル又は通信ケーブル等を支柱３後側の前記空間に導入して載置板４，５上の機器と配線し、前記空間を利用して上下の載置板４，５上の機器間の配線を行う。なお、支柱３の上側には、図６に示すように、左右の側支柱３２，３２の上端に係合する基体３４Ａ，３４Ａ及び該基体３４Ａ，３４Ａにより上下方向に回動可能に支持された蓋体３４Ｂからなる、例えば合成樹脂製の支柱上カバー３４が取り付けられる。この支柱上カバー３４は、側方から配線を見え難くするとともに、配線量が多い場合やコンセント又はプラグ等の比較的大きな部品を通す場合に前記蓋体３４Ｂを開いて使用することができる。
【００４２】
なお、載置板５上の機器との配線は図１及び図６に示すケーブル挿通口３１ｅを通して行うことができる。また、載置板４上の機器との配線又は幕板８上に電子ペーパー若しくはカラー有機ＥＬディスプレイ等の表示媒体を保持した場合における幕板８上の表示媒体との配線は、支柱３上部の後側から載置板４の後端縁と幕板８との間を通して行うことができる。そして、配線カバー３３の上下には配線挿通口３３ｃ，３３ｂが形成されており（図６及び図４参照）、上側の配線挿通口３３ｃの後側には幕板８が位置し、演台である机１の後側（聴衆側）から見える配線は、配線カバー３３の下側の配線挿通口３３ｂを通る配線のみであり、支柱３の裏側の配線処理が視認されないため、すっきりとした外観の印象を与えることができる。なお、図１に示す机１において棚板である載置板５を設けない場合は、ケーブル挿通口３１ｅが不要であるため、支柱３（中支柱３１）としてケーブル挿通口３１ｅがないものを使用することができる。
【００４３】
図８は本発明の実施の形態に係る机１の別の例として示すプロジェクター台の構成を示す側面図であり、図２と同一符号は同一又は相当する部分を示している。図８では、天板である載置板４上にプロジェクターＰＪを載置しており、図２において、幕板８等を取り外した状態に相当する構成となっている。
【図面の簡単な説明】
【００４４】
【図１】本発明の実施の形態に係る演台の斜視図である。
【図２】同じく側面図である。
【図３】同じくベース部まわりの分解斜視図である。
【図４】同じくベース板に側補強部材を固定し中補強部材を組み立てた状態を示す分解斜視図である。
【図５】図２のＡ−Ａ断面図である。
【図６】本発明の実施の形態に係る演台の天板まわりの分解斜視図である。
【図７】図２のＢ−Ｂ断面図である。
【図８】本発明の実施の形態に係るプロジェクター台の側面図である。
【符号の説明】
【００４５】
１  机
２  ベース部
３  支柱
３Ａ  下端部
４，５  載置板
４ａ，４ｂ  ねじ穴
６  ブラケット
６ａ，６ｂ  ねじ穴
６ｃ  通し穴
７  ブラケット
８  幕板
８ａ  通し穴
９  幕板止金具
９ａ  ダルマ状穴
９ｂ  通し穴
１０  化粧板
１０ａ  ねじ穴
１１  キャスター
１１Ｂ  後キャスター
１１Ｆ  前キャスター
１２〜２０  取付ねじ
２１  ベース板
２１Ｂ  後折曲部
２１Ｆ  前折曲部
２２  後水平板
２２ａ  開口
２２ｂ  通し穴
２３  前水平板
２４  傾斜板
２５  中補強部材
２５Ａ  連結部
２５Ｂ  補強部
２６  縦補強部材
２６Ｂ  後板
２６Ｄ  下板
２６Ｓ  側板
２６ａ，２６ｂ  スリット
２６ｃ  係合穴
２６ｄ，２６ｅ  ねじ穴
２６ｆ  通し穴
２７  後補強部材
２７Ｂ  後板
２７Ｆ  前板
２７Ｕ  上板
２７ａ  開口
２７ｂ  スリット
２７ｃ  係合突片
２７ｄ  ねじ穴
２７ｅ  通し穴
２７ｆ  ねじ穴
２８  前補強部材
２８Ｂ  後板
２８Ｆ  前板
２８Ｕ  上板
２８ａ  スリット
２８ｂ  係合穴
２９，３０  側補強部材
３１  中支柱
３１ａ  通し穴
３１ｂ  ねじ穴
３１ｃ，３１ｄ  通し穴
３１ｅ  ケーブル挿通口
３１ｆ  通し穴
３２  側支柱
３２ａ，３２ｂ  通し穴
３２ｃ  ねじ穴
３２ｄ，３２ｅ  通し穴
３３  配線カバー
３３ａ  係止片
３３ｂ，３３ｃ  ケーブル挿通口
３４  支柱上カバー
３４Ａ  基体
３４Ｂ  蓋体
ＰＣ  ノートパソコン
ＰＪ  プロジェクター
【図１】
2008086438.tif 000003
【図２】
2008086438.tif 000004
【図３】
2008086438.tif 000005
【図４】
2008086438.tif 000006
【図５】
2008086438.tif 000007
【図６】
2008086438.tif 000008
【図７】
2008086438.tif 000009
【図８】
2008086438.tif 000010